(57)【要約】  本発明は、防除対象の有害生物に適合させた少なくとも１つの側面アクセスポイント及び毒餌ゲルを導入するするように設計して頂部に配置した少なくとも１つの注入口を含んでいるプラスチック製毒餌箱；毒餌箱とアプリケーターからなる、有害生物の防除においてゲルを使用するためのシステム；前記毒餌箱とシステムの使用；及び、有害生物を防除する方法に関する。【特許請求の範囲】
【請求項１】
防除対象の有害生物に適合させた少なくとも１つの側面進入路及び毒餌ゲルを導入するために適合させた少なくとも１つの注入口を含んでいるプラスチック製毒餌箱。
【請求項２】
防除対象の有害生物に適合させた少なくとも１つの側面進入路及び毒餌ゲルを導入するために適合させ且つ頂部に配置した少なくとも１つの注入口を含んでいる、請求項１に記載の毒餌箱。
【請求項３】
防除対象の有害生物に適合させた２つの側面進入路及び毒餌ゲルを導入するために適合させ且つ頂部に配置した少なくとも１つの注入口を含んでいる、請求項１又は２に記載の毒餌箱。
【請求項４】
上部が透明である、請求項１、２又は３のいずれかに記載の毒餌箱。
【請求項５】
頂部に配置した前記注入口が密閉可能である、請求項１〜４のいずれかに記載の毒餌箱。
【請求項６】
請求項１〜５のいずれかに記載の毒餌箱及びアプリケーター又はゲル容器からなる有害生物を防除するためのシステムであって、該毒餌箱の前記注入口と該アプリケーターの排出口が整合させてあることを特徴とする、前記システム。
【請求項７】
有害生物を防除するための、請求項１〜５のいずれかに記載の毒餌箱又は請求項６に記載のシステムの使用。
【請求項８】
有害生物を防除する方法であって、
第一段階において、請求項１〜５のいずれかに記載の１つ以上の毒餌箱を適切な場所に配置する；
第二段階において、アプリケーターを用いて、該毒餌箱内に注入口を通して毒餌ゲルを加える；
及び、
第三段階において、防除プロセスが終了するまで、消費された毒餌ゲルを再度加える；
ことを特徴とする、前記方法。
【発明の詳細な説明】
【技術分野】
【０００１】
本発明は、毒餌箱、有害生物の防除においてゲルを使用するための毒餌箱とアプリケーターからなるシステム、及び、有害生物を防除する方法における該毒餌箱と該システムの使用に関する。
【背景技術】
【０００２】
従来技術により、有害生物を防除するためのさまざまな毒餌箱が知られている。
【０００３】
ＵＳ  ３，７５０，３２６には、側面進入路と頂部に配置されたチェック用窓を有する厚紙製毒餌箱が開示されている。
【０００４】
ＵＳ  ４，３４９，９８２には、側面進入路と毒餌箱に流動性毒餌を補充するのに適した頂部に配置された孔を有するプラスチック製の毒餌箱が開示されている。
【０００５】
ＤＥ−Ａ  １９５０１８９２には、側面進入路は有さず、ある距離を隔てて配置された場合により透明であっても良いフィルムで覆われた頂部開口型毒餌箱が開示されている。
【０００６】
ＷＯ  ０２／１０２１４７及びＵＳ  ５，１３６，８０３には、さまざまなデザインの毒餌箱が記述されており、ここで、それらの蓋は、毒餌箱に毒餌を補充するために、及び、チェックするために開口可能であり、また、それらの蓋には、さらに、ブロック形状の毒餌を適切な位置に保持するための装置も備え付けられている。ＷＯ  ０２／１０２１４７に記載されている毒餌箱は、蓋に窓が付いており、その窓を通して、該毒餌箱の内部を見ることができる。
【０００７】
公知毒餌箱は、固形毒餌の使用には適しているが、それらは、一連の不利点を有している。毒餌箱に蝋ブロック又はペーストなどの固形毒餌を入れるために、該毒餌箱を開けなければならない。これらの堅く成形された毒餌が外に落ちるのを防いだり、又は、齧歯類動物により持ち去られるのを防止するために、そのような毒餌は、正確に整合する区画又は格子の中に置くか（ＤＥ−Ａ  ３９０５４８９）、又は、金属製の串状のものに突き通すか（ラット用の、Ｐｒｏｔｅｃｔａ（登録商標）  Ｔａｍｐｅｒ  Ｒｅｓｉｓｔａｎｔ  Ｂａｉｔ  Ｂｏｘ）、又は、適切な場所にワイヤで保持する（ＤＥ−Ｕ  ２９９０１５７８）。流動性の毒餌のみが、毒餌箱を開けずに導入可能である（ＵＳ  ４，３４９，９８２）。
【０００８】
公知毒餌箱のさらに別の不利点は、材料と構造を選択した結果として、毒餌ゲルと一緒に使用するのに適していないか又はあまり適していないということである。
【０００９】
公知毒餌箱のさらに別の不利点は、特に毒餌ゲル又は蝋ブロックを用いた場合に、容易な及び／又は迅速な補充が不可能であるということである。
【００１０】
有害生物は、しばしば、毒餌を用いて防除される。それらの毒餌は、それらが非標的動物により摂取されること又は気候因子若しくは洗浄方法などの非生物的要因の影響を受けることを除外することが可能である場合、隠さずに置くことができる。これらの影響を概ね除外するために、毒餌箱（ベイトステーションとも称される）がたびたび使用される。
【００１１】
有害な昆虫を防除するための毒餌箱は、概して、プラスチック製であり、製造元により既に毒餌が入れられている。昆虫は、１つ以上の進入路により毒餌に接近する。可能な場合には、それら昆虫を毒餌で引き寄せるようにすべきである。概して、これらの毒餌箱は補充せずに、当該防除が達成された後で破棄される。
【００１２】
有害な齧歯類動物（特に、マウス）用の毒餌箱は、充填済み毒餌箱として幾つかの製造元から提供されている。それらは、１つ以上の堅く成形された毒餌を含んでいる。この場合も同様に、これらの毒餌箱は、概して、補充せずに、当該防除が達成された後で破棄される。別の方法として、防除手順中に使用者により繰り返し補充される毒餌箱を使用する。これらの毒餌は、複数の防除活性で使用することが可能であるか、又は、蔓延を連続的に予防するために適切な場所に置いておくが、その際、最大で３ヶ月の間隔で補充する。しばしば、これらのベイトステーションは、許可のないものが接近するのを困難なものとするために、密閉されているか（ＷＯ  ０２／１０２１４７）、又は、それらは、標的動物のみが毒餌に達するように設計されている（ＤＥ−Ａ  ３９０５４８９）。
【００１３】
その毒餌箱を開けることは付加的な試みであり、特に毒餌箱が閉じられているか又は開けるのが困難な場合には、付加的な作業時間が必要となる。これは、特に専門的な有害生物の防除の分野において、例えば、餌を加工する場所で数百のステーションに毒餌を入れる場合、コストに影響する。従って、毒餌箱に堅く成形された毒餌を入れることは、困難で費用がかかるということができる。
【００１４】
毒餌箱を開けることなく外部から毒餌を入れることが可能な毒餌箱は、流動性の毒餌については公知である。その場合、毒餌粒子がベイトステーションから落ちるか又は持ち去られる危険性が増大するが、このような危険性は、特に、動物の飼育並びに食料及び飼料の製造においては除かれなければならない。従って、毒餌箱に外部から導入される流動性の毒餌は、安全性に対して深刻な危険性を有している。
【００１５】
このような理由により、動物の飼育並びに食料及び飼料の製造において用いられる毒餌は、主に堅く成形された毒餌である。それらは、消費されていない状態にある間は適切な場所に容易に固定することが可能であるが、齧歯類動物によって部分的に消費された場合には、同様に、毒餌の一部が毒餌箱から落ちるか又は持ち去られる危険性が存在している。さらに、部分的に消費された堅く成形された毒餌は、環境を汚染する危険性を有している。
【００１６】
これらの問題を解決するために、毒餌ゲルの使用が提案された。使用するのが好ましい毒餌ゲルは、熟成しても毒餌箱に付着したままでいる毒餌ゲル、例えば、水性毒餌ゲルなどである。これにより、毒餌粒子が毒餌箱から落ちるか又は持ち去られるのが防止される。毒餌ゲルの使用に対して最適化された毒餌箱は知られていない。
【発明の開示】
【発明が解決しようとする課題】
【００１７】
本発明の目的は、新規な毒餌箱及び毒餌システムを提供することにより、上記不利点を取り除くことである。
【課題を解決するための手段】
【００１８】
上記目的は、請求項１の特徴及びさらに付け加えられている請求項の特徴により達成される。
【発明を実施するための最良の形態】
【００１９】
本発明に関連して、とりわけ、以下の用語が使用される。  有害生物は、有害な齧歯類動物、有害な昆虫又はナメクジ及びカタツムリである。有害な齧歯類動物は、特に、ラット、マウス及びハタネズミである。有害な昆虫は、特に、ゴキブリ、アリ及びシロアリなどのうじゃうじゃと群れる昆虫（crawling insect）である。
【００２０】
毒餌は、有効薬量で当該有害生物に対して活性を示す少なくとも１種類の毒薬と少なくとも１種類の食材を含んでいる、当該有害生物により食される組成物である。使用する毒薬は、標的動物に応じて、殺鼠剤又は殺虫剤である。毒餌についての多数の異なった製剤が当業者には知られており、また、市販されている。毒餌は、堅く成形された成形物品（「蝋ブロックタイプ」）として製剤することができるか、自由流動性若しくは流動性の毒餌として製剤することができるか、又は、ゲル（「毒餌ゲル」）として製剤することができる。
【００２１】
毒餌ゲルは、ペースト状又はゲル様のコンシステンシーを有する毒餌である。一般的な毒餌ゲルの粘度は、広い範囲で変えることが可能であり、そして、一般に、５０００〜１０００００ｍＰａｓ、好ましくは、８０００〜６００００ｍＰａｓ、特に好ましくは、１００００〜５００００ｍＰａｓである。その粘度は、回転粘度計（rotary viscometer）(ＨＡＡＫＥ製)を使用してＤ＝１０［１／秒］の剪断速度で測定するか、又は、円錐平板測定システム（cone- and-plate measuring system）（４°）を用いて測定する。該毒餌ゲルは異種混交であることから、示度は、さまざまな値となる。その粘度は、当該成分（特に、増粘剤及び毒餌材料）の種類及び割合を変えることにより、調節することができる。毒餌ゲルは、例えば、ＷＯ  ０３／０９４６１２により、公知である。それに開示されている毒餌ゲル組成物は、本明細書において特に言及される。脂肪又は油をベースとするペースト状製剤（「ペースト状毒餌ゲル」）は、概して、当業者には知られている。
【００２２】
毒餌箱は、有害生物を防除するための箱であって、当該有害生物のための少なくとも１つの側面進入路及び毒餌のための空間を含んでいる。好ましくは、該毒餌箱は２つの側面進入路を有している。該側面進入路の寸法は、防除対象の有害生物に合うように適合させる。
【００２３】
本発明の毒餌箱は、該毒餌箱に毒餌ゲルを入れるための少なくとも１つの注入口（fill port）を有している。
【００２４】
該毒餌箱は、毒餌ゲルの内部が見えるように配置された透明な部分を有することができる。そのようにして、当該毒餌箱を開ける必要なく、存在している毒餌ゲルの量を見積もることが可能であり、また、該箱への毒餌ゲルの補充の必要性を判断することができる。
【００２５】
該透明な部分は、好ましくは、該箱の上部に配置してある。
【００２６】
該注入口は、該透明部分内に配置することが可能である。
【００２７】
毒餌箱は、好ましくは、プラスチック製である。特に適しているプラスチックは、射出成形により加工可能なプラスチックである。
【００２８】
該毒餌箱の寸法は、防除対象の有害生物に合うように適合させる。一般に、該毒餌箱の寸法は、少なくとも１匹の有害生物がその毒餌箱内で動くことが可能であり且つさらに毒餌のための空間を利用することが可能であるような寸法である。毒餌箱の寸法の決定は、当業者には知られており、また、上記従来技術及び市販されている毒餌箱から推定することも可能である。
【００２９】
該毒餌箱の底面は、該箱の中に入れられた毒餌ゲルが境界を画された範囲内に維持されるように設計することができる。これは、区画又は内壁を形成させることにより達成される。これにより、毒餌ゲルが広がるか又は当該有害生物によりまき散らされるのを防止することができる。
【００３０】
さらに別の実施形態では、該毒餌箱は、開けることができないように設計することもできる。これにより、該毒餌箱の使用者に対する安全性がさらに改善される。
【００３１】
注入口は、毒餌箱に毒餌ゲルを入れるのに適した毒餌箱上の凹所である。
【００３２】
該注入口の寸法は、非標的動物及びヒトの指が毒餌箱内の毒餌に届くことのないように、且つ、該毒餌箱に毒餌ゲルを入れるのに充分な断面積が保証されるように、設計する。円形の注入口は、好ましくは、１〜１５ｍｍの直径を有し、特に好ましくは、３〜８ｍｍの直径を有する。該注入口が円形でない場合は、その注入口の面積は、１〜２００ｍｍ２、好ましくは、１０〜１００ｍｍ２である。
【００３３】
該注入口は、好ましくは、毒餌箱の上部に設置する。
【００３４】
注入口には、密閉材（seal）をもうけることができる。そのような密閉材は、例えば、垂れ蓋、引き蓋、栓、ねじ式密閉材、スナップ式密閉材又はシールリップの形態に設計することができる。
【００３５】
１つ以上の注入口を設けることができる。注入口は、１つのアプリケーターで同時に注入できるように、１つに集めることができる。１つ又は２つの注入口であるのが好ましく、１つの注入口であるのが特に好ましい。
【００３６】
アプリケーターは、毒餌ゲルを適用するための装置である。好ましいアプリケーターは、加圧して毒餌ゲルを適用するものである。そのようなアプリケーターは、シリンジ、カルトゥーシュ又はチューブなどのような容器からゲル又はペーストを適用するものとして当業者には公知である。殺虫性ゲル、特に、ゴキブリを防除するための殺虫性ゲルは、有害生物防除業者が、例えば、ベイトガンとして知られているものを用いて、適用している。商人及び日曜大工の好きな人は、アプリケーターについてよく知っており、それを用いて、建築材料、例えば、シリコーン又はアクリル樹脂を、容積約３００ｍＬのカルトゥーシュから適用することができる。殺鼠性ゲルについての好ましい容器は、当該ゲルを絞り出すための上記で挙げたアプリケーター又はほかの適切なアプリケーターと一緒に使用されるカルトゥーシュである。
【００３７】
好ましい実施形態では、該アプリケーター又はゲル容器は、細長い排出口、例えば、チップ、チューブ又はパイプなどを有しており、それらの断面は、該毒餌箱の注入口に押し入れることができるように設計されている。
【００３８】
一実施形態では、該アプリケーター又はゲル容器の排出口と該毒餌箱の注入口は、確動的嵌合性（positive fit）を有する。例えば、該排出口は、円形、星形又は三角形の形状であることができる。
【００３９】
さらに別の実施形態では、該排出口は、該毒餌箱の注入口にある特定の深さ（「挿入深度（insertion depth）」）までしか挿入できないように設計されている。これは、例えば、該排出口の適切な溝により、又は、該排出口の全長により、又は、該排出口の円錐構造により達成可能である。
【００４０】
該挿入深度は、該排出口が、該毒餌箱の底には届かないが、その上部にやっと届くようなものとすることができる。当該ゲルのコンシステンシー及び当該排出口の直径に応じて、この間隔は、ゲルを絞り出したときに、そのゲルが、毒餌箱の底に付着するのに充分な力で毒餌箱の底に押し込まれるように調節される。このような状況では、充分な量のゲルが毒餌箱内に詰め込まれる。可能な間隔は、例えば、１〜２０ｍｍ、好ましくは、３〜１０ｍｍである。
【００４１】
本発明は、さらに、有害生物を防除するシステムにも関し、ここで、該システムは、上記で記載した毒餌箱及び上記で記載した適合させてあるアプリケーター又はゲル容器からなる。そのような適合は、アプリケーターの排出口と毒餌箱の注入口を互いに整合させることにより達成される。そのような適合は、さらに、毒餌箱の寸法、アプリケーターの薬量及び毒餌ゲルの選択を、防除対象の有害生物及び毒餌ゲルを入れる毒餌箱に整合させることによって達成され得る。そのような適合は、単純な計算と日常的な実験を用いて、当業者自身が実施可能である。
【００４２】
本発明は、さらに、毒餌箱と毒餌ゲルを使用して有害生物を防除する方法にも関し、ここで、該方法は、アプリケーターを用いて毒餌ゲルを注入口をとおして毒餌箱に適用することを特徴とする。
【００４３】
本発明は、さらに、ＥＰ−Ａ  １３８９０３９に記載されている方法における本発明の毒餌箱の使用にも関する。この刊行物は、本明細書において特に言及される。
【国際調査報告】
2007535953.tif 000002
2007535953.tif 000003
2007535953.tif 000004
2007535953.tif 000005